(57)【要約】【課題】包装シートの外面の風合いの低下や汚れを抑制しつつ、個包装状態において装飾効果を発揮できる吸収性物品の個包装体を提供する。【解決手段】吸収性物品の個包装体（１）は、着用物品に接合するための本体接合部（５１）を有する吸収性物品（１０）と、吸収性物品を個別に包装する包装シート（７０）と、吸収性物品と包装シートの間に配置され、本体接合部を覆う剥離シート（４０）と、を有する。剥離シートには、包装シートによって吸収性物品が個別に包装された個包装状態において、個包装体の外面に向けられて配置された装飾部（８０）が設けられている。剥離シートと包装シートは、シート接合部（４５）を介して接合されている。装飾部は、シート接合部と重なる領域に配置された積層装飾部（８１）を有する。装飾部は、個包装体の外面に向けられて配置されている。【選択図】図４
2020073019.tif 000002
【特許請求の範囲】
【請求項１】
着用物品に接合するための本体接合部を有する吸収性物品と、前記吸収性物品を個別に包装する包装シートと、前記吸収性物品と前記包装シートの間に配置され、前記本体接合部を覆う剥離シートと、を有する吸収性物品の個包装体であって、
前記剥離シートには、前記包装シートによって前記吸収性物品が個別に包装された個包装状態において、前記個包装体の外面に向けられて配置された装飾部が設けられており、
前記剥離シートと前記包装シートは、シート接合部を介して接合されており、
前記装飾部は、前記シート接合部と重なる領域に配置された積層装飾部を有する、吸収性物品の個包装体。
【請求項２】
前記個包装状態において、前記個包装体の外面に配置された包装シートの端縁を、前記包装シートの端縁と重なる包装シートに接合するテープ部材を有し、
前記テープ部材は、再接合可能となる再接合部があり、
前記再接合部は、前記個包装状態において前記積層装飾部に重なっている、請求項１に記載の吸収性物品の個包装体。
【請求項３】
前記装飾部は、カーボンを含まないノンカーボン印刷によって構成されており、
前記テープ部材は、カーボンを含むカーボン印刷によって構成されている、請求項２に記載の吸収性物品の個包装体。
【請求項４】
前記装飾部は、前記吸収性物品の情報を示す情報部と、絵、図柄、マーク、記号の少なくともいずれかを含むデザイン部と、を有し、
前記積層装飾部は、少なくとも前記情報部を有する、請求項１から請求項３のいずれか１項に記載の吸収性物品の個包装体。
【請求項５】
前記包装シートは、中空繊維を有する不織布を含んでいる、請求項１から請求項４のいずれか１項に記載の吸収性物品の個包装体。
【請求項６】
前記剥離シートは、フィルムによって構成されている、請求項１から請求項５のいずれか１項に記載の吸収性物品の個包装体。
【請求項７】
前記シート接合部の面積は、前記剥離シートの面積に対する１０％以上である、請求項１から請求項６のいずれか１項に記載の吸収性物品の個包装体。
【請求項８】
前記個包装状態において、少なくとも前記包装シート及び剥離シートが折り畳まれた折り目が設けられており、
前記積層装飾部の少なくとも一部は、前記折り目と重なっている、請求項１から請求項７のいずれか１項に記載の吸収性物品の個包装体。
【請求項９】
前記積層装飾部の少なくとも一部は、前記本体接合部と重なる領域に設けられている、請求項１から請求項８のいずれか１項に記載の吸収性物品の個包装体。
【請求項１０】
前記装飾部は、前記シート接合部と重ならない領域に配置された非積層装飾部を有し、
前記非積層装飾部と前記積層装飾部は、連なっている、請求項１から請求項９のいずれか１項に記載の吸収性物品の個包装体。
【請求項１１】
前記シート接合部は、４つの側辺によって囲まれた矩形状であり、
前記装飾部は、前記４つの側辺のうち３つ以上の側辺に跨がっている、請求項１から請求項１０のいずれか１項に記載の吸収性物品の個包装体。
【発明の詳細な説明】
【技術分野】
【０００１】
本発明は、吸収性物品を包装シートによって個別に包装した吸収性物品の個包装体に関する。
【背景技術】
【０００２】
特許文献１には、吸収性物品を包装シートによって個別に包装した吸収性物品の個包装体が開示されている。特許文献１の個包装体は、包装シートに印刷からなる装飾部を設け、個包装体の装飾性を高めている。
【先行技術文献】
【特許文献】
【０００３】
【特許文献１】特開平１１-１６４８４９号公報
【発明の概要】
【発明が解決しようとする課題】
【０００４】
特許文献１の個包装体は、包装シートの外面に印刷が施されている。そのため、包装シートによって吸収性物品が個別に包装された個包装状態において、使用者は、個包装体の外側から装飾部を視認し易い。その一方で、包装シートの外面の風合いが低下して、使用や持ち運びに際し使用者の手触り感が低下したり、使用者が印刷面と直接触れることに起因する印刷汚れが発生したりするおそれがある。
【０００５】
よって、包装シートの外面の風合いの低下や汚れを抑制しつつ、個包装状態において装飾効果を発揮できる吸収性物品の個包装体を提供する。
【課題を解決するための手段】
【０００６】
一態様に係る吸収性物品の個包装体は、着用物品に接合するための本体接合部を有する吸収性物品と、前記吸収性物品を個別に包装する包装シートと、前記吸収性物品と前記包装シートの間に配置され、前記本体接合部を覆う剥離シートと、を有する吸収性物品の個包装体であって、前記剥離シートには、前記包装シートによって前記吸収性物品が個別に包装された個包装状態において、前記個包装体の外面に向けられて配置された装飾部が設けられており 、前記剥離シートと前記包装シートは、シート接合部を介して接合されており、前記装飾部は、前記シート接合部と重なる領域に配置された積層装飾部を有する。装飾部は、個包装体の外面に向けられて配置されている。
【図面の簡単な説明】
【０００７】
【図１】図１は、実施形態に係る吸収性物品の個包装体の展開状態における肌面側から見た平面図である。
【図２】図２は、実施形態に係る吸収性物品の個包装体の展開状態における非肌面側から見た平面図である。
【図３】図３は、実施形態に係る吸収性物品の個包装体の背面側から見た分解斜視図である。
【図４】図４は、吸収性物品の個包装体の個包装状態を示した図である。
【図５】図５は、剥離シートの非肌面側から見た平面図である。
【発明を実施するための形態】
【０００８】
（１）実施形態の概要
本明細書及び添付図面の記載により、少なくとも以下の事項が明らかとなる。
一態様に係る吸収性物品の個包装体は、着用物品に接合するための本体接合部を有する吸収性物品と、前記吸収性物品を個別に包装する包装シートと、前記吸収性物品と前記包装シートの間に配置され、前記本体接合部を覆う剥離シートと、を有する吸収性物品の個包装体であって、前記剥離シートには、前記包装シートによって前記吸収性物品が個別に包装された個包装状態において、前記個包装体の外面に向けられて配置された装飾部が設けられており、前記剥離シートと前記包装シートは、シート接合部を介して接合されており、前記装飾部は、前記シート接合部と重なる領域に配置された積層装飾部を有する。装飾部は、個包装体の外面に向けられて配置されている。本態様によれば、個包装状態において装飾部が個包装体の外面に向けられて配置されているため、使用者は、個包装状態において個包装シートを介して装飾部を視認できる。装飾部が剥離シートに設けられているため、装飾部が包装シートの外面のみに設けられた形態と比較して、包装シートの外面の風合いの低下や汚れを抑制できる。また、シート接合部と重なる領域は、包装シートと剥離シートが密着している。積層装飾部は、シート接合部と重なる領域に設けられているため、特に視認性が向上できる。そのため、包装シートよりも内側に位置する剥離シートに装飾部を設けた場合であっても、使用者が個包装体の外側から装飾部を把握し易く、装飾部による装飾性を向上できる。装飾性を高めることにより、吸収性物品の使用前の憂鬱な気分を軽減することができる。
【０００９】
好ましい一態様によれば、前記個包装状態において、前記個包装体の外面に配置された包装シートの端縁を、前記包装シートの端縁と重なる包装シートに接合するテープ部材を有し、前記テープ部材は、再接合可能となる再接合部があり、前記再接合部は、前記個包装状態において前記積層装飾部に重なってよい。使用者は、個包装状態から開封する際にテープ部材を操作し、テープ部材及びその周囲を視認する。積層装飾部と重なるシート接合部をテープ部材の操作時に視認することで、使用者が積層装飾部を視認し易い。また、再接合部と重なる積層装飾部は、個包装状態において、再接合部に覆われており、個包装体の外側から視認できない。しかし、テープ部材の操作時に、個包装に被覆されている部分の積層装飾部を視認でき、テープ部材の開封操作を安定して行うことができる。
【００１０】
好ましい一態様によれば、前記装飾部は、カーボンを含まないノンカーボン印刷によって構成されており、前記テープ部材は、カーボンを含むカーボン印刷によって構成されてよい。本態様によれば、撮像手段等を用いてカーボンの有無を検出することによって、テープ部材の位置を検出できる。また、製造過程の品質管理において赤外線を照射すると、カーボンが検知され、混入物と誤認されるおそれがある。しかし、剥離シートの装飾部をノンカーボン印刷によって構成することにより、カーボンに起因する誤検知を抑制し、品質管理を考慮せずに、装飾部によるデザイン性を向上できる。
【００１１】
好ましい一態様によれば、前記装飾部は、前記吸収性物品の情報を示す情報部と、絵、図柄、マーク、記号の少なくともいずれかを含むデザイン部と、を有し、前記積層装飾部は、少なくとも前記情報部を有してよい。本態様によれば、デザイン部によって個包装体の装飾性を向上させつつ、情報部を目立たせ、情報部によって使用者に吸収性物品の情報を示すことができる。
【００１２】
好ましい一態様によれば、前記包装シートは、中空繊維を有する不織布を含んでよい。中空繊維を有する不織布は、中空繊維を有しない不織布と比較して光の乱反射が生じ易い。個包装体の外面を構成する包装シートによって光の乱反射が生じることにより、装飾部を立体的に示すことができ、装飾性を向上させたり高級感を付与したりでき、個包装体の装飾性が高くなる。加えて、シート接合部が接着剤からなる形態にあっては、シート接合部と重なる領域は、シート接合部と重ならない領域と比較して、接着剤によって包装シートの凹凸及び剥離シートの凹凸が平滑化され、光の乱反射が低減する。光の乱反射が低減することによって、包装シート及び剥離シートの透明度が向上し易くなる。これにより、シート接合部と重なる領域は、シート接合部と重ならない領域と、が視覚的に異なり易く、装飾部を立体的に示すことができる。
【００１３】
好ましい一態様によれば、前記剥離シートは、フィルムによって構成されてよい。フィルムによって構成された剥離シートは、紙によって構成された剥離シートと比較して柔軟性が高い。よって、剥離シートが包装シートに沿い易く、個包装体の外側からの積層装飾部の視認性を向上できる。また、フィルムは、紙と比較して表面が平滑であるため、印刷の自由度が高く、また、発色性が向上しやすい。そのため、装飾部の視認性をより高め、装飾性をより向上できる。
【００１４】
好ましい一態様によれば、シート接合部の面積は、前記剥離シートの面積に対する１０％以上であってよい。本態様によれば、シート接合部の面積の比率を確保することにより、積層装飾部の面積を高め、装飾性を向上できる。
【００１５】
好ましい一態様によれば、前記個包装状態において、少なくとも前記包装シート及び剥離シートが折り畳まれた折り目が設けられており、前記積層装飾部の少なくとも一部は、前記折り目と重なってよい。折り目に重なる領域は、折り癖によって包装シートと剥離シートが密着し易く、積層装飾部の視認性をより向上できる。
【００１６】
好ましい一態様によれば、前記積層装飾部の少なくとも一部は、前記本体接合部と重なる領域に設けられてよい。本態様によれば、本体接合部、積層装飾部、及びシート接合部なる領域では、個包装体の内側に位置する吸収性物品が剥離シートに密着する。吸収性物品は、一般的に白基調であり、吸収性物品の密着によって積層装飾部の背景側の白色度が向上する。よって、積層装飾部の視認性が向上する。
【００１７】
好ましい一態様によれば、前記装飾部は、前記シート接合部と重ならない領域に配置された非積層装飾部を有し、前記非積層装飾部と前記積層装飾部は、連なってよい。本態様によれば、非積層装飾部と積層装飾部が連続して形成されており、装飾部の面積を確保し、装飾部の視認性を向上できる。また、積層装飾部と非積層装飾部が混在していることにより、同じ色味でも積層装飾部と非積層装飾部では見え方が異なる（別の色に見える）ため、積層装飾部のみの構成と比較して、個包装体の外側から排泄物が透けた場合でも経血等の排泄物が目立ちにくくなる。
【００１８】
好ましい一態様によれば、前記シート接合部は、４つの側辺によって囲まれた矩形状であり、前記装飾部は、前記４つの側辺のうち３つ以上の側辺に跨がってよい。シート接合部の側辺は、積層装飾部と非積層装飾部の境界となり、装飾部の視認性が変化する部分となる。当該装飾部の視認性が変化する境界を３つ以上有しており、装飾部の視認性をより向上できる。また、積層装飾部から少なくとも３方に装飾部が延在するため、装飾部の面積を確保し、装飾部の視認性を向上できる。
【００１９】
（２）吸収性物品の個包装体の構成
以下、図面を参照して、実施形態に係る吸収性物品の個包装体について説明する。吸収性物品は、生理用ナプキン、パンティライナー、母乳パッド、大人用失禁パッド、使い捨ておむつ、糞便パッド又は汗取りシートのような吸収性物品であってよい。特に、吸収性物品は、使用者の下着のような着用物品の内側に取り付けられて使用される物品であってよい。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２０】
図１及び図２は、実施形態に係る吸収性物品の個包装体１の展開状態の平面図である。図１は、肌面側から見た図であり、図２は、非肌面側から見た図である。図３は、実施形態に係る吸収性物品の個包装体１の背面側から見た分解斜視図である。図４は、吸収性物品の個包装体１の個包装状態を示した図である。ここで、「肌対向面側」は、使用中に着用者の肌に面する側に相当する。「非肌対向面側」は、使用中に着用者の肌とは反対に向けられる側に相当する。また、展開状態は、包装シート７０がいずれの折り目によっても折り畳まれていない状態である。吸収性物品の個包装体１（以下、個包装体１とする）は、吸収性物品１０と、包装シート７０と、剥離シート４０と、を少なくとも有する。
【００２１】
吸収性物品１０は、前後方向Ｌ、幅方向Ｗ及び厚み方向Ｔを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、肌面側Ｔ１と非肌面側Ｔ２に延びる方向である。吸収性物品１０は、前側域Ｓ１、中央域Ｓ２及び後側域Ｓ３を有してよい。中央域Ｓ２は、着用者の排泄口に対向する領域である。前側域Ｓ１は、中央域Ｓ２よりも前側に位置する。後側域Ｓ３は、中央域Ｓ２よりも後側に位置し、着用者の臀部に対向する領域である。前側域Ｓ１、中央域Ｓ２及び後側域Ｓ３は、吸収性物品１０の前後方向Ｌの長さが最も長い位置（本実施の形態では、本体部の幅方向の中心２０ＣＷ）において、吸収性物品１０を前後方向Ｌに３等分した領域であってもよいし、後述する第１幅折り目ＦＷ１及び第２幅折り目ＦＷ２によって区画された領域であってもよい。
【００２２】
吸収性物品１０は、着用者の肌に面する表面シート２１と、着用者の肌とは反対側に向けられる裏面シート２２と、表面シート２１と裏面シート２２の間の吸収コア２３と、本体接合部５１と、を有する。表面シート２１は、使用中に着用者の肌の方に向いて配置される。表面シート２１は、繊維を有する不織布又は織布によって構成されてよいし、開口フィルムによって構成されてもよい。裏面シート２２は、使用中に、着用者の肌とは反対側に向けられる。表面シート２１は、液透過性シートから構成されていてよい。裏面シート２２は、液不透過性シートを含んでいてよい。吸収コア２３は、吸収性物品１０の前後方向Ｌに沿って延びている。吸収コア２３は、水分を吸収可能な吸収材料を有する。吸収コア２３は、図示しないコアラップによって覆われていてよい。コアラップは、例えばティッシュにより構成することができる。なお、本明細書において、「前後方向Ｌに沿って」という用語は、前後方向Ｌに対して４５°未満の角度を持った方向を意味し、「幅方向Ｗに沿って」という用語は、幅方向Ｗに対して４５°未満の角度を持った方向を意味する。本体接合部５１は、裏面シート２２に設けられ、吸収性物品１０の非肌面側に配置されてよい。本体接合部５１は、吸収性物品１０を着用物品に接合するための粘着剤が設けられた領域である。本体接合部５１は、吸収コア２３と重なる領域に配置されてよい。本体接合部５１は、下着等の着用物品に接合可能に構成されており、より詳細には、着用物品のクロッチ域の肌対向面に接合可能に構成されてよい。
【００２３】
剥離シート４０は、後述する個包装状態等、吸収性物品１０の使用前の状態において、本体接合部５１を覆い、本体接合部５１の劣化を防ぐように構成されている。剥離シート４０は、使用時に吸収性物品１０から分離する。また、ウイング及びヒップフラップを有する吸収性物品１０にあっては、ウイングを着用物品に接合するウイング接合部及びヒップフラップを着用物品に接合するフラップ接合部を有する。当該ウイング接合部を覆うウイング剥離シート及び当該フラップ接合部を覆うフラップ剥離シートが、剥離シート４０と別体で設けられていてもよい。剥離シート４０は、略矩形であり、前後方向の長さが幅方向の長さよりも長い。剥離シート４０は、吸収性物品１０と包装シート７０の間に配置されている。剥離シート４０には、装飾部８０が設けられている。装飾部８０の構成については、後述にて詳細に説明する。
【００２４】
包装シート７０は、吸収性物品１０を個別に包装する。包装シート７０は、剥離シート４０よりも非肌面側に配置されている。包装シート７０は、不織布又はフィルムによって構成されてよい。図２示すように、剥離シート４０と包装シート７０は、シート接合部４５を介して接合されている。シート接合部４５は、接着剤が付された部分であってよい。シート接合部４５は、図２に示すように展開状態において、前後方向Ｌに間隔を空けて複数配置されていてもよいし、前後方向Ｌに連続して配置されていてもよい。シート接合部４５は、４つの側辺によって囲まれた矩形状であってよい。
【００２５】
吸収性物品１０は、使用前に複数の折り目を基点に折り畳まれていてよい。図４は、個包装体１が折り目を基点に折り畳まれ、吸収性物品１０が包装シート７０によって個別に包装された個包装状態を示した図である。図４（ａ）は、個包装状態の個包装体１の平面図であり、図４（ｂ）は、図４（ａ）に示す４Ａ−４Ａ線に沿った断面図である。なお、複数の折り目は、少なくとも剥離シート４０及び包装シート７０を共に折り畳む折り目であってよく、吸収性物品１０も折り畳む折り目であってもよい。複数の折り目は、幅方向Ｗに延びる第１幅折り目ＦＷ１及び第２幅折り目ＦＷ２を有してよい。第１幅折り目ＦＷ１及び第２幅折り目ＦＷ２は、前後方向に離間してよい。第１幅折り目ＦＷ１は、第２幅折り目ＦＷ２よりも前側に位置しており、前側域Ｓ１と中央域Ｓ２の境界を構成してよい。第２幅折り目ＦＷ２は、後側域Ｓ３と中央域Ｓ２の境界を構成してよい。個包装体１の折り畳み態様は、包装シート７０及び剥離シート４０上に吸収性物品１０を配置した状態で共に折り畳まれる。折り畳み態様の一例としては、包装シート７０及び剥離シート４０上に吸収性物品１０を配置した展開状態で、第１幅折り目ＦＷ１を基点に吸収性物品１０の後端縁を前後方向Ｌの内側に折り畳む。次いで、第２幅折り目ＦＷ２を基点に吸収性物品１０の前端縁側を前後方向Ｌの内側に折り畳む。
【００２６】
次いで、個包装体１の外面に配置された包装シート７０の端縁７０Ｅを、包装シート７０の端縁７０Ｅと重なる包装シート７０にテープ部材７５によって接合する。すなわち、テープ部材７５は、個包装状態において、個包装体１の外面に配置された包装シート７０の端縁７０Ｅを、包装シート７０の端縁７０Ｅと重なる包装シート７０に接合する。個包装体１の外面に配置された包装シート７０の端縁７０Ｅは、包装シート７０の前後方向Ｌにおける端縁であって、幅方向Ｗに延びてよい。テープ部材７５は、包装シート７０の端縁７０Ｅ側に固定された固定部７６と、固定部７６から延出し、端縁７０Ｅと重なる包装シート７０側に対して再接合可能となる再接合部７７と、を有してよい。再接合部７７は、一旦包装シート７０から剥離した後に、包装シート７０に対して再接合可能に構成されている。このように折り畳まれることにより、吸収性物品１０は、包装シート７０によって個別に包装される。なお、変形例において、テープ部材７５を有していなくてもよい。
【００２７】
次いで、図５等に基づいて、剥離シート４０の装飾部８０について説明する。装飾部８０は、文字、絵柄等によって構成され、個包装体１の装飾性を向上させるように構成されている。装飾部８０は、吸収性物品１０の情報を示す情報部と、絵、図柄、マーク、記号の少なくともいずれかを含むデザイン部８５と、の少なくとも一方を有してよい。本実施の形態の装飾部８０は、三角形の図柄からなるデザイン部８５のみによって構成されている。変形例において、デザイン部８５は、図柄のみならず、絵を含んでいてもよいし、異なる図柄を含んでいてもよい。情報部は、吸収性物品１０の情報を示すものであればよく、吸収性物品１０の名称（商品名、ブランド名）を示すロゴ及びマーク、二次元バーコードを例示できる。吸収性物品１０の情報は、吸収性物品１０の素材（コットン、シアバター、オリーブオイル等）、及び吸収性物品１０を使用した使用者の使用状態（着用した状態、装着操作の状態）、吸収性物品１０の用途（生理用ナプキン、尿取りパッド、おりものシート）、使用タイミング（昼用、夜用、経血が多い日用等）、適した使用形態（スポーツ時に適している、就寝時に適している等）の情報を含んでいてよく、使用者が吸収性物品１０の選択や使用に役立つ情報であってよい。
【００２８】
装飾部８０は、個包装体１の外面に向けられて配置されている。装飾部８０は、個包装体１の外面側に向けられて配置されている。個包装状態において装飾部８０が個包装体１の外面に向けられて配置されているため、使用者は、個包装状態において包装シート７０を介して装飾部８０を視認できる。装飾部８０が剥離シート４０に設けられているため、装飾部８０が包装シート７０の外面のみに設けられた形態と比較して、包装シート７０の外面の風合いや汚れを抑制できる。なお、個包装体１の外面とは、折り畳まれた状態で個包装体１の外側に位置する面である。個包装体１の外面に向けられた状態は、個包装体１の外面に配置された状態のみならず、個包装体１の外面を構成する部材（包装シート７０等）に対向して配置された状態、及び個包装体１の外面を構成する部材とは別の部材を介して、個包装体１の外面を構成する部材に対向して配置された状態を含む。なお、好適には、装飾部８０は、個包装状態において吸収コア２３よりも個包装体１の外面側に配置されてよい。装飾部８０は、剥離シート４０の内面及び外面の少なくとも一方に配置されていればよい。本実施の形態の装飾部８０は、剥離シート４０の外面（個包装体１の外面側の面）に配置されていている。装飾部８０は、個包装体１の外側から包装シート７０を介して視認可能に構成されている。なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。
【００２９】
装飾部８０は、シート接合部４５と重なる領域に配置された積層装飾部８１を有してよい。積層装飾部８１は、個包装体の展開状態において、シート接合部４５と重なって配置された装飾部８０である。シート接合部４５と重なる領域は、包装シート７０と剥離シート４０が密着している。積層装飾部８１は、シート接合部と重なる領域に設けられているため、装飾部８０の中でも特に視認性が向上できる。そのため、包装シート７０よりも内側に位置する剥離シート４０に装飾部８０を設けた場合であっても、使用者が個包装体１の外側から装飾部８０を把握し易く、装飾部８０による装飾性を向上できる。装飾性を高めることにより、吸収性物品１０の使用前における使用者の憂鬱な気分を軽減することができる。
【００３０】
テープ部材７５の再接合部７７は、個包装状態において積層装飾部８１に重なってよい。すなわち、個包装体１には、再接合部７７と、装飾部８０と、シート接合部４５と、が厚み方向Ｔに重なった領域が設けられてよい。使用者は、個包装状態から開封する際にテープ部材７５を操作し、テープ部材７５及びその周囲を視認する。積層装飾部８１と重なるシート接合部をテープ部材の操作時に視認することで、使用者が積層装飾部８１を視認し易い。また、再接合部と重なる積層装飾部８１は、個包装状態において、再接合部に覆われており、個包装体１の外側から視認できない。しかし、テープ部材の操作時に、個包装に被覆されている部分の積層装飾部８１を視認でき、テープ部材の開封操作を安定して行うことができる。
【００３１】
装飾部８０は、カーボンを含まないノンカーボン印刷によって構成され、テープ部材７５は、カーボンを含むカーボン印刷によって構成されてよい。撮像手段等を用いてカーボンの有無を検出することによって、テープ部材の位置を検出できる。また、製造過程の品質管理において赤外線を照射すると、カーボンが検知され、混入物と誤認されるおそれがある。しかし、剥離シート４０の装飾部８０をノンカーボン印刷によって構成することにより、カーボンに起因する誤検知を抑制し、品質管理を考慮せずに、装飾部８０によるデザイン性を向上できる。
【００３２】
個包装状態において、積層装飾部８１の少なくとも一部は、第１幅折り目ＦＷ１及び第２幅折り目ＦＷ２の少なくとも一方に重なっていてよい。第１幅折り目ＦＷ１及び第２幅折り目ＦＷ２は、少なくとも包装シート７０及び剥離シート４０が折り畳まれていてよい。第１幅折り目ＦＷ１及び第２幅折り目ＦＷ２と重なる領域は、折り癖によって包装シート７０と剥離シート４０が密着している。そのため、使用者が個包装体１の外側から積層装飾部８１を把握し易く、積層装飾部８１による装飾性をより向上できる。また、複数の個包装体１がパッケージに収容された状態では、個包装体１は、厚み方向に積層され、折り目がパッケージの外面に向けて配置され易い。パッケージの窓部を介して又はパッケージを開封した状態で、折り目と重なる積層装飾部８１を使用者が視認し易く、個包装体１を取り出す前から装飾性を向上できる。
【００３３】
積層装飾部８１の少なくとも一部は、本体接合部５１と重なる領域に設けられてよい。本体接合部５１、積層装飾部８１、及びシート接合部４５が重なる領域では、個包装体１の内側に位置する吸収性物品１０が剥離シート４０に密着する。吸収性物品１０は、一般的に白基調であり、吸収性物品１０の密着によって積層装飾部８１の背景側の白色度が向上する。よって、積層装飾部８１の視認性が向上する。本体接合部が接着剤からなる形態にあっては、本体接合部の接着剤によって剥離シートの凹凸が平滑化されることで、光の乱反射が低減する。光の乱反射が低減されることで透明度が上がり、積層装飾部の色が視認しやすくなる。
【００３４】
装飾部８０は、シート接合部４５と重ならない領域に配置された非積層装飾部８２を有してよい。非積層装飾部８２は、図２に示す展開状態においてシート接合部４５と重ならない領域に配置されている装飾部８０である。非積層装飾部８２と積層装飾部８１は、展開状態及び個包装状態の少なくとも一部において連なってよい。非積層装飾部８２と積層装飾部８１が連続して形成されており、装飾部８０の面積を確保し、装飾部８０の視認性を向上できる。また、積層装飾部８１と非積層装飾部８２が混在していることにより、同じ色味でも積層装飾部８１と非積層装飾部８２では見え方が異なる（別の色に見える）ため、積層装飾部８１のみの構成と比較して、個包装体１の外側から排泄物が透けた場合でも経血等の排泄物が目立ちにくくなる。
【００３５】
個包装体１の外面における積層装飾部８１と非積層装飾部８２の色差ΔＥは、１以上であってよく、好ましくは、４以上であってよい。一般的に色差が４以上であると、使用者が両者を区別して認識し易い。積層装飾部８１と非積層装飾部８２の色差が４以上であり、使用者は、両者を区別して認識し易い。より詳細には、シート接合部と重なる領域では、剥離シート４０と包装シート７０が密着し、装飾部の視認性が向上する。そのため、使用者は、積層装飾部８１を濃く認識し、非積層装飾部８２を薄く認識する。積層装飾部８１と非積層装飾部８２の濃淡によって、装飾部が立体的な装飾効果を発揮し、より目立ちやすくなる。装飾部が目立つことにより、排泄物を相対的に目立ちにくくできる。ここで、色差は、「色差」は、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。色差測定器は、例えば、Konica Minolta社製 CR-300を用いることができ、測定機器の光源としては、C光源(国際照明委員会(CIE)の規格)を用いることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。
【００３６】
装飾部８０は、シート接合部４５の４つの側辺のうち３つ以上の側辺に跨がってよい。シート接合部の側辺は、積層装飾部８１と非積層装飾部８２の境界となり、装飾部８０の視認性が変化する部分となる。当該装飾部８０の視認性が変化する境界を３つ以上有しており、装飾部８０の視認性をより向上できる。また、積層装飾部８１から少なくとも３方に装飾部８０が延在するため、装飾部８０の面積を確保し、装飾部８０の視認性を向上できる。
【００３７】
剥離シート４０の面積に対する装飾部８０の面積の比率は、３０％以上であってよく、好ましくは、５０％以上であってよい。当該面積比率は、展開状態における面積比率であってもよいし、個包装状態における面積比率であってもよい。個包装状態における面積比率は、個包装体１の外面から視認可能に配置された剥離シート４０及び装飾部８０の面積を測定することによって算出できる。剥離シート４０の面積に対する装飾部の面積の比率は、３０％以上であって、比較的高い。そのため、包装シート７０及び剥離シート４０によって使用後の吸収性物品１０を包んだ際に装飾部によって隠蔽できる面積を確保でき、隠蔽性を高めることができる。
【００３８】
剥離シート４０には、装飾部８０の周囲に配置された背景部８３が設けられており、装飾部８０の光線透過率は、背景部８３の光線透過率よりも低くてよい。装飾部８０と背景部８３が設けられた形態にあっては、使用者は、デザイン等による装飾効果を発揮する装飾部８０に着目しやすい。装飾部８０は、光線透過率が低く、背景部８３よりも隠蔽性が高い。使用者が着目しやすい装飾部８０の隠蔽性を高めることにより、個包装体１の外側から使用者が使用後の排泄物を視認する不具合を抑制できる。背景部８３は、剥離シート４０における装飾部８０以外の部分であり、剥離シート４０の地色の部分であってもよい。装飾部８０の面積は、背景部８３の面積よりも大きくてよい。装飾部８０の面積を確保し、装飾性を向上させるとともに廃棄時の隠蔽性を向上できる。装飾部８０は、複数設けられており、複数の装飾部の大きさが異なっていてよい。大きさが異なる複数の装飾部によって装飾部全体がより目立ち、使用者の注意を引きやすい。図５に示すように、装飾部８０の最大寸法Ｍ８０は、最大寸法Ｍ８０に沿った方向（本実施の形態であれば、幅方向Ｗ）の剥離シート４０の最大寸法Ｍ４０に対する５０％以上であってよく、好ましくは、７０％以上であってよい。剥離シート４０において装飾部８０が占める長さの比率が高く、装飾性を向上させるとともに廃棄時の隠蔽性を向上できる。
【００３９】
装飾部８０は、第１装飾部８６と、第１装飾部８６と異なる色を有する第２装飾部８７と、を備えてよい。第１装飾部と第２装飾部の２色の相乗効果によって装飾部全体がより目立ち、使用者の注意を引きやすい。また、複数の色の装飾部を備えていることにより、単一色の装飾部と比較して、個包装体１の外側から排泄物が透けた場合であっても、当該排泄物を目立ち難くできる。本実施の形態は、第１装飾部８６と、第１装飾部８６と異なる色を有する第２装飾部８７と、第１装飾部８６及び第２装飾部８７と異なる色を有する第３装飾部８８と、を有している。３色の装飾部８０によって装飾部全体がより目立ち、使用者の注意を引きやすい。また、個包装体１の外側から排泄物が透けた場合であっても、当該排泄物を目立ち難くできる効果も高めることができる。
【００４０】
吸収性物品１０は、生理用ナプキンであって、装飾部８０は、オストワルト色相環によって分類された２４色の色票で、２番から１２番のいずれかの色を含んでよい。出願人が鋭意研究した結果、使用後の経血の色は、６番から８番に近似することがわかった。一般的に、２つの色の色相番号のずれが４以内の場合には、２つの色が類似するため、一方に対して他方が目立ちにくくなる。装飾部８０が２番から１２番は、使用後の経血の色である６番から８番に対する色相番号のずれが４以内である。そのため、経血の色が視覚的に類似色の装飾部８０で目立たなくなる。使用後の吸収性物品１０の排泄物の隠蔽性を向上できる。
【００４１】
吸収性物品１０は、おりものシート及び尿漏れパッドであって、装飾部８０は、オストワルト色相環によって分類された２４色の色票で、２２番、２３番及び２４番、１番、２番、３番、４番、５番、６番、７番のいずれかの色を含んでよい。出願人が鋭意研究した結果、おりものの色及び尿の色は、オストワルト色相環の色表のうち２番及び３番に近似することがわかった。２２番、２３番及び２４番、１番、２番、３番、４番、５番、６番、７番は、おりものの色及び尿の色である２番及び３番に対する色相番号のずれが４以内である。そのため、おりものの色及び尿の色が視覚的に類似色の装飾部８０で目立たなくなる。使用後の吸収性物品１０の排泄物の隠蔽性を向上できる。
【００４２】
シート接合部４５の面積は、剥離シート４０の面積に対する１０％以上であってよい。シート接合部４５の面積の比率を確保することにより、積層装飾部８１の面積を高め、装飾性を向上できる。当該面積比率は、展開状態における面積比率であってもよいし、個包装状態における面積比率であってもよい。個包装状態における面積比率は、個包装体１の外面から視認可能に配置された剥離シート４０及びシート接合部４５の面積を測定することによって算出できる。また、開封時にテープ部材７５を剥がす際の資材（包装シート７０及び剥離シート４０）の破れを抑制するために、テープ部材７５の再接合部７７をシート接合部４５に重ねて配置することがある。このとき、シート接合部４５の面積を確保することにより、製造時の位置ズレが生じても、テープ部材７５の再接合部７７をシート接合部４５に重ねて配置でき、開封時の資材の破れを抑制できる。
【００４３】
剥離シート４０は、フィルムによって構成されてよい。好適には、剥離シート４０には、本体接合部５１から円滑に剥離できるように、剥離処理が施されてよい。フィルムによって構成された剥離シート４０は、紙によって構成された剥離シート４０と比較して柔軟性が高い。よって、剥離シート４０が包装シート７０に沿い易く、個包装体１の外側からの積層装飾部８１の視認性を向上できる。また、フィルムは、紙と比較して表面が平滑であるため、印刷の自由度が高く、また、発色性が向上しやすい。そのため、装飾部８０の視認性をより高め、装飾性をより向上できる。フィルムによって構成された剥離シート４０は、紙によって構成された剥離シート４０と比較して、変形時の音が発生し難く、個包装体１の開封時の音を低減できる。
【００４４】
包装シート７０は、中空繊維を有する不織布を含んでよい。包装シート７０は、中空繊維を有する不織布単体によって構成されていてもよいし、中空繊維を有する不織布と他のシートの積層体であってもよい。中空繊維を有する不織布は、中空繊維を有しない不織布と比較して光の乱反射が生じ易い。個包装体１の外面を構成する包装シート７０によって光の乱反射が生じることにより、装飾部８０を立体的に示すことができ、装飾性を向上させたり高級感を付与したりでき、個包装体１の装飾性が高くなる。加えて、シート接合部４５が接着剤からなる形態にあっては、シート接合部４５と重なる領域は、シート接合部４５と重ならない領域と比較して、接着剤によって包装シート７０の凹凸及び剥離シート４０の凹凸が平滑化され、光の乱反射が低減する。光の乱反射が低減することによって、包装シート及び剥離シートの透明度が向上し易くなる。これにより、シート接合部４５と重なる領域は、シート接合部４５と重ならない領域と、が視覚的に異なり易く、装飾部８０を立体的に示すことができる。また、包装シート７０は、光の乱反射によって光の透過性が低減する。そのため、包装シート７０及び剥離シート４０によって使用後の吸収性物品１０を、剥離シート４０よりも外側に延出した部分においても隠蔽性を高めることができる。また、中空不織布と中実不織布のそれぞれにおいて、積層装飾部８１と非積層装飾部８２の色差を比較すると、中空不織布の方が積層装飾部８１と非積層装飾部８２の色差が大きい。そのため、中空不織布の方が非積層装飾部８２と比較した積層装飾部８１の視認性が高くなる。
【００４５】
包装シート７０の光線透過率は、５０％以上であってよい。なお、光線透過率は、周知の方法で測定するとよい。例えば、日本電色工業株式会社製の測色色差計又はそれと同等のものを用いて、ＪＩＳ  Ｋ  ７３７５に準拠して測定できる。包装シート７０の光線透過率は、５０％以上であることにより、使用者は、包装シート７０を介して装飾部８０を視認できる。包装シート７０は、透明又は半透明のフィルムによって構成されてよい。包装シート７０がフィルムであることにより、シート接合部４５を構成する接着剤が個包装体１の外面に染み出すことを抑制できる。また、包装シート７０が透明又は半透明であることにより、装飾部８０の視認性を確保できる。
【００４６】
剥離シート４０の幅方向の長さは、個包装体１の幅方向の長さの３０％以上であってよい。好適には、剥離シート４０は、吸収性物品１０の全域を覆うように配置されてよい。装飾部８０の面積を確保し、装飾性を向上させるとともに廃棄時の隠蔽性を向上できる。
【００４７】
以上、上述の実施形態を用いて本考案について詳細に説明したが、当業者にとっては、本考案が本明細書中に説明した実施形態に限定されるものではないということは明らかである。本考案は、特許請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【００４８】
上述の実施形態の積層装飾部８１は、デザイン部８５のみによって構成されている。しかし、積層装飾部８１は、少なくとも情報部を有してもよい。変形例によれば、デザイン部によって個包装体１の装飾性を向上させつつ、情報部を目立たせ、情報部によって使用者に吸収性物品１０の情報を示すことができる。
【００４９】
また、変形例において、装飾部は、剥離シート４０に設けられてなく、包装シート７０に設けられていてもよい。より詳細には、剥離シート４０及び包装シート７０の少なくとも一方は、装飾部８０が設けられた装飾シートであり、装飾シートの面積に対する装飾部の面積の比率は、３０％以上であってよい。装飾シートの面積に対する装飾部の面積の比率は、３０％以上であって、比較的高い。そのため、装飾シート等によって使用後の吸収性物品１０を包んだ際に装飾部によって隠蔽できる面積を確保でき、隠蔽性を高めることができる。なお、上述の実施形態は、剥離シート４０が装飾シートを構成する。しかし、変形例において、包装シート７０が装飾シートを構成する形態にあっては、上述の実施形態の剥離シート４０の構成を包装シート７０に置き代えることができる。
【産業上の利用可能性】
【００５０】
包装シートの外面の風合いの低下や汚れを抑制しつつ、個包装状態において装飾効果を発揮できる吸収性物品の個包装体を提供する。
【符号の説明】
【００５１】
１        ：個包装体
１０      ：吸収性物品
２０ＣＷ  ：中心
２１      ：表面シート
２２      ：裏面シート
２３      ：吸収コア
４０      ：剥離シート（装飾シート）
４５      ：シート接合部
５１      ：本体接合部
７０      ：包装シート
７０Ｅ    ：包装シートの端縁
７５      ：テープ部材
７６      ：固定部
７７      ：再接合部
８０      ：装飾部
８１      ：積層装飾部
８２      ：非積層装飾部
８５      ：デザイン部
ＦＷ１    ：第１幅折り目
ＦＷ２    ：第２幅折り目
Ｓ１      ：前側域
Ｓ２      ：中央域
Ｓ３      ：後側域
Ｌ        ：前後方向
Ｔ        ：厚み方向
Ｔ１      ：肌面側
Ｔ２      ：非肌面側
Ｗ        ：幅方向
【図１】
2020073019.tif 000003
【図２】
2020073019.tif 000004
【図３】
2020073019.tif 000005
【図４】
2020073019.tif 000006
【図５】
2020073019.tif 000007